(57)【要約】【課題】  低コストでありながら防音効果の良好な防音型エンジン駆動作業機を提供すること。【解決手段】  エンジンおよびこのエンジンにより駆動される作業機が防音型筐体内に収容され、この筐体は、断面コ字形の部材を組み合わせてなるベースにより支持された防音型エンジン駆動作業機において、前記ベース１０は、断面コ字形の部材１０ａの開口部を、取り外し可能な蓋部材２０で閉塞した断面箱形部材により構成されたことを特徴とする防音型エンジン駆動作業機。【選択図】  図１
2006002802.tif 000002
【特許請求の範囲】
【請求項１】
エンジンおよびこのエンジンにより駆動される作業機が防音型筐体内に収容され、この筐体は、断面コ字形の部材を組み合わせてなるベースにより支持された防音型エンジン駆動作業機において、
前記ベースは、
断面コ字形の部材の開口部を、蓋部材で閉塞した断面箱形部材により構成された
ことを特徴とする防音型エンジン駆動作業機。
【請求項２】
請求項1記載の防音型エンジン駆動作業機において
前記蓋部材の中の少なくとも１つは、前記コ字形の部材の前記開口部を塞ぐように取り外し可能に固定されていることを特徴とする防音型エンジン駆動作業機。
【請求項３】
請求項1記載の防音型エンジン駆動作業機において、
前記蓋部材は、前記コ字形の部材にヒンジにより開閉可能に取り付けられたことを特徴とする防音型エンジン駆動作業機。
【請求項４】
請求項１ないし請求項３記載の防音型エンジン駆動作業機において、
前記断面箱形部材は、内部空間に吸音材が配設されたことを特徴とする防音型エンジン駆動作業機。
【発明の詳細な説明】
【技術分野】
【０００１】
本発明は、エンジンを駆動源として作動する作業機に係り、とくに圧縮機、発電機、ポンプ等の作業機に関する。
【背景技術】
【０００２】
この種のエンジン駆動作業機は、防音型筐体に収容されてベース上に設置されている。図６は、その一例としての作業機２００を示したもので、エンジン５０、エンジン５０により駆動される作業機本体５１および関連機器が図示しない防振部材を介してベース２１０上に配設されている。
【０００３】
作業機２００は、大型機になるほど重量が増し、ベース２１０に加わる荷重が増え、ベース２１０はそれに応じた強度を必要とする。この要求に応えるため、ベース２１０の構造は、鋼板を折り曲げ加工したコ字形部材とか、日本工業規格で規定されている溝形鋼２１０ａを組み合わせてベース外周４辺を形成した基本枠体で構成されている。
【０００４】
他方、防音構造とするため、ベース２１０の外周４辺を形成する基本枠体を溝形鋼２１０ａで形成し、この溝形鋼２１０ａの内面下方位置に筐体の内側と外側とを仕切る床板２１０ｂが設けられている。そして、筐体内は、上部防音ケース２０２と下部防音ケース２０５とに分かれている。
【０００５】
図７は、図６に示した防音型エンジン駆動作業機を斜め後方から見た状態を示している。ベース２１０は、外周４辺がコ字形部材である溝形鋼２１０ａの基本枠体で構成され、この溝形鋼２１０ａはコ字形の開口部を外側に向けた構造となっている。
【０００６】
このベース２１０の左右に配設した溝形鋼２１０ａの底面には、ベース２１０を基礎(図示せず)に固定するための孔２１３が複数形成されている。そして、左右に配設された溝形鋼２１０ａの垂直面には、エンジンルームと外部とを連通する配管２１２が複数個配設されている。さらに、防音型エンジン駆動作業機２００を吊上げるための吊り金具２１１が、溝形鋼２１０ａの垂直面から水平に張り出すように設けられている。
【０００７】
図８は、特許文献１に示されるコ・ジェネレーション システム ユニットの共通台床が示されている。共通台床３１０は、エンジンおよび発電機に必要とされる全ての機器を搭載するものであり、上部にエンクロージャパネルが設けられる。共通台床３１０は、平行に設けられた一対の主桁３１１と主桁３１２との一端間に設けられた横桁３１３と上記一対の主桁間に設けられた横桁３１４とによって基本枠体が一体構成されている。この基本枠体は全て溝形鋼で構成されており、一対の主桁３１１と３１２とは溝形鋼の開口部を外側に向けた構成となっている。
【０００８】
ここで、共通台床３１０の床面は、全面に床板が形成され、騒音防止と基礎面からの湿気の侵入防止を図っている。そして、一対の主桁３１１と主桁３１２の開口部から外側に向けて吊り金具３２１が張り出している。また、一対の主桁３１１および３１２の溝形鋼底面には、共通台床３１０を基礎に固定するための基礎ボルト挿入穴３３０が複数個形成されている。
【特許文献１】実開平４-２７２９６号公報
【発明の開示】
【発明が解決しようとする課題】
【０００９】
上記各構造のうち図６および図７に示したものでは、所定の防音効果を得るには、上部防音ケース２０２や下部防音ケース２０５を二重構造としたり、ダクト構造にしたりして減音することができるものの、ベース２１０からの透過音が問題になる。また、ベース２１０のコ字形部材の垂直面に、エンジン室と外部とを連通する配管類が設けられている場合には、この配管類を経由して騒音が外部に放出され、所定の減音効果が得られないこともある。
【００１０】
また、図８に示したコージェネレーション システム ユニットの共通台床でも、共通台床３１０の基本枠体３１１ないし３１４の側壁で、エンジン室から外部へ透過する騒音を減じるには限界がある。とくに、エンジンが大型化するに連れてエンジンの音響パワーが大となり、透過後の騒音値をより低騒音とするには共通台床３１０の基本枠体３１１ないし３１４の板厚を増したりしなければならず、重量増による限界がある。
【００１１】
本発明は、上述の点を考慮してなされたもので、低コストでありながら防音効果の良好な防音型エンジン駆動作業機を提供することを目的とする。
【課題を解決するための手段】
【００１２】
上記目的達成のため、本発明では、
エンジンおよびこのエンジンにより駆動される作業機が防音型筐体内に収容され、この筐体は、断面コ字形の部材を組み合わせてなるベースにより支持された防音型エンジン駆動作業機において、前記ベースは、断面コ字形の部材の開口部を、取り外し可能な蓋部材で閉塞した断面箱形部材により構成されたことを特徴とする防音型エンジン駆動作業機、
を提供する。
【発明の効果】
【００１３】
本発明は上述のように、防音型エンジン駆動作業機を設置するためのベースに用いるコ字形部材の開口部を塞いで閉鎖空間を設けるようにしたため、ベースを透過する音を大幅に減ずることができ、良好な防音効果を挙げることができる。
【発明を実施するための最良の形態】
【００１４】
以下、図１ないし図５を参照して本発明の実施例を説明する。
【実施例１】
【００１５】
図１は、本発明の一実施例を示す側面図である。この図１に示すように、防音型エンジン駆動作業機１００は、上部防音ケース１０２および下部防音ケース１０５により構成された筐体がベース１０上に設置され、筐体の内部にエンジン５０、作業機本体としての発電機５１およびマフラ６０等が収容されたものとして構成されている。
【００１６】
エンジン５０、発電機５１は、ベース１０に対して防振部材を介して取り付けられており、ベース１０を介して振動が外部に伝わることを防止している。また、筐体には、排風ダクト１０３、吸気ダクト１０４が設けられてエンジン５０の給排気を伝わる騒音を低減するようにしている。
【００１７】
そして、上部および下部の防音ケース１０２，１０５の内部は、防音ケース隔壁１１０，１１１により相互間が隔離化されており、またベース１０はベース隔壁１７により区画化されている。これにより、各防音ケース１０２，１０５相互間およびベース１０内での騒音の伝達が防止されている。
【００１８】
ここにおいて、本発明が適用されるベース１０は、基礎１５０に対して取付穴(図示せず)に通したボルト１６０に、破線や実線で示したナット１６１を締め付けることによって固定される。
【００１９】
そして、ベース１０の図示手前側端には、遮音板２０，２１がボルト等により脱着自在に設けられている。遮音板２０は、平板状であり、ベース１０を構成するコ字形部材の開口部を塞ぐため、取付板１０ｅにボルト４０により螺着されて内部に閉鎖された空間を形成し、騒音が外部に伝達することを防止する。もう一つの遮音板２１は、配管等を通すために一部が穴明きの別部材となっているが、コ字形部材との間にほぼ閉鎖された空間を形成するから、やはり騒音の伝達を防止することができる。
【００２０】
図２は、図１におけるＡ−Ａ線に沿って切断した断面図であり、とくにベース１０の構造を示している。ベース１０は、筐体の外周に対応する外周４辺に配された、一体構成のコ字形部材１０ａを基本枠体とする。この基本枠体には、コ字形部材１０ａに図１に示した遮音板２０，２１が組み合わされて、コ字形部材１０ａの開口部が閉塞された断面箱形部材となっている。この断面箱形部材を用いたことにより、基本枠体は前述したような防音機能を持つ。
【００２１】
一方、基本枠体の内側には、エンジン室１２０からの騒音を阻止するために、床材１０ｂ、取付板１０ｃに脱着可能に支持された第２床材１０ｄにより床面全体が遮蔽されている。なお、第２床材１０ｄは、基本枠体と基礎１５０との間が密着固定される施工方法であれば、省略することができる。
【００２２】
図３は、ベース１０の構造を詳細に示した分解斜視図である。この図３に示すように、ベース１０の基本枠体に対する遮音板との取り付けは、ボルト締めにより行う。
【００２３】
基本枠体は、一対のコ字形部材１０ａに、これと直角関係になる一対のコ字形部材１０ｆを組み合わせて矩形の外枠を構成し、筐体のエンジン室と他の室との境界位置にコ字形部材１７を配して、外枠の矩形を２分した２つの矩形としている。そして、エンジン室には想像線で示す位置にエンジン設置空間１１および発電機設置空間１２が設けられ、他の室にも同様に機器設置空間が設けられる。基本枠体の底部には、床材１０ｂが設けられる。
【００２４】
ベース１０の外周には、隅部および中間部にブラケット１３，１４，１５が設けられて基本枠体の剛性を高めるとともに、ネジ穴１３ａ，１４ａ，１５ａが設けられてボルト４０による遮音板２０，２１，２２，２３の取り付けに供される。
【００２５】
このブラケット１３，１４，１５を用いて、ベース１０の基本枠体の外周に遮音板２０−２３が取り付けられる。遮音板２０，２１は前述の通りであり、基本枠体の長辺部に取り付けられ、遮音板２２は基本枠体の短辺部に取り付けられる。そして、遮音板２３は、遮音板２１に対応する基本枠体の長辺部位置に取り付けられる。これら遮音板２０，２１，２２，２３，２３には、裏面に吸音材２５が設けられており、遮音効果が高められている。
【００２６】
これら遮音板のうち遮音板２１には、筐体内、外間を連通する配管のための弾性遮蔽板７０が設けられている。弾性遮蔽板７０は、例えばゴム製であり、配管１８，１９を貫通させるための、切り込み７０ｃ付きの穴７０ａ，７０ｂが形成されている。そして、遮蔽板２１の切欠き２１ｂおよび弾性遮蔽板７０は、配管１８，１９に対応する位置にあり、配管１８，１９は、コ字形部材１０ａの垂直部分を貫通して筐体内外間を連通する。
【００２７】
図４は、遮音板の変形例を示すためのベース１０の斜視図である。図３における遮音板２０，２２がボルト止めであるのに対し、この図４の実施例では、遮音板２６，２８が、上縁部に設けたヒンジ３０を中心にして回動して持ち上げ得るように構成されている。このように、ベース１０に開閉可能な空間を設けたため、備品等を収納することができる。
【００２８】
図５は、図４に示したヒンジ３０の構造を示す拡大断面図である。この図５に示すように、遮音板２６は、図示上端がヒンジ３０で支持されており、矢印で示すように、回動による開閉が可能な構造である。したがって、備品等を出し入れすることが容易にできる。
【００２９】
ただし、遮音板２６の本来的機能は遮音であり、遮音板２６がコ字形部材１０ａに当接する縁辺にはシール材３２により雨水侵入防止措置が施された上で、遮音板２６の背面には吸音材２５が配設され騒音低減措置が施されている。
【００３０】
また、遮音板２６が取り付けられるコ字形部材１０ａの背面にある床材１０ｂと第２床材１０ｄとの間には、吸音材２５が設けられており、吸音効果が高められている。
【００３１】
上記実施例では、コ字形部材として溝形鋼を用いた例を示しているが、溝形鋼に替えて鋼板の折り曲げ加工により形成されたコ字形部材であってもよい。
【図面の簡単な説明】
【００３２】
【図１】本発明の一実施例の構成を示す側面図。
【図２】図１におけるＡ−Ａ線に沿って切断した断面図。
【図３】ベース１０の構造を詳細に示した分解斜視図。
【図４】遮音板の変形例を示すためのベース１０の斜視図。
【図５】図４に示したヒンジ３０の構造を示す拡大断面図。
【図６】従来のエンジン駆動作業機の正面形状を示す図。
【図７】図６に示したエンジン駆動作業機の斜視図。
【図８】従来のエンジン駆動作業機のベースを示す斜視図。
【符号の説明】
【００３３】
１０，２１０  ベース、１０ａ、１０ｆ，１7  コ字形部材、
１０ｂ、２１０ｂ  床材、１０ｃ，１０ｅ  取付板、１０ｄ  第２の床材、
１３，１５，１６  ブラケット、１３ａ，１４ａ，１５ａ  ネジ穴、
１７  ベース隔壁、１８，１９  配管、２０，２１，２７  遮音板、
２１ｂ  切欠き、２２，２６，２７，２８  遮音カバー、２５  吸音材、
２６ａ  折り曲げ部、３０  ヒンジ、３１，３２  シール材、
４０，４１  ボルト、５０  エンジン、５１  作業機本体（発電機）、
６０  マフラ、７０  弾性遮蔽板、７０ａ，７０ｂ  貫通孔、
１００，２００  防音型エンジン駆動作業機、
１０２，２０２  上部防音ダクト、１０３  排風ダクト、１０４  吸気ダクト、
１０５，２０５  下部防音ケース、１１０，１１１  防音ケース隔壁、
１２０  エンジン室、１５０  基礎、１６０  基礎ボルト、
１６１  ナット、２１０ａ  溝形鋼、２１１，３２１  吊り金具、
３１０  共通台床、３１１，３１２  主桁、３１３  横桁、
３３０  基礎ボルト挿入穴。
【図１】
2006002802.tif 000003
【図２】
2006002802.tif 000004
【図３】
2006002802.tif 000005
【図４】
2006002802.tif 000006
【図５】
2006002802.tif 000007
【図６】
2006002802.tif 000008
【図７】
2006002802.tif 000009
【図８】
2006002802.tif 000010